(57)【要約】【課題】本発明は、設置面に当接する台座の奥行き方向の長さが短い表示装置、表示装置の脚機構の提供を目的とする。【解決手段】本発明の表示装置１０は、表示部１と、表示部１が設置面６に対してなす角度を調節可能に、表示部１を設置面６上に設置する脚部とを備え、脚部は、表示部１に固定される固定脚２と、固定脚２が回動可能に結合され、設置面６と当接する固定台座３と、表示部１に対して回動可能に結合される可動脚４と、可動脚４が回動可能に結合され、かつ固定台座３に対して設置面６と平行な方向に移動可能に結合されて、設置面６と当接する可動台座５と、を備える。【選択図】図１
2014235215.tif 000002
【特許請求の範囲】
【請求項１】
表示部と、
前記表示部が設置面に対してなす角度を調節可能に、前記表示部を前記設置面上に設置する脚部とを備え、
前記脚部は、
前記表示部に固定される固定脚と、
前記固定脚が回動可能に結合され、前記設置面と当接する固定台座と、
前記表示部に対して回動可能に結合される可動脚と、
前記可動脚が回動可能に結合され、かつ前記固定台座に対して前記設置面と平行な方向に移動可能に結合されて、前記設置面と当接する可動台座と、を備える、
表示装置。
【請求項２】
前記可動台座は、前記可動脚に対して、前記可動脚との結合部の回動軸に垂直な方向に移動可能に結合される、
請求項１に記載の表示装置。
【請求項３】
前記固定脚と前記固定台座、前記可動脚と前記可動台座、および前記固定台座と前記可動台座は、ネジ止め又はスナップフィットで結合される、
請求項１又は２に記載の表示装置。
【請求項４】
前記固定台座から取り外した前記可動台座と、前記表示部から取り外した前記可動脚を、当該可動台座と当該可動脚の回動可能な結合を回動させて重ねると、一方が他方の内部に収納される、
請求項１〜３のいずれかに記載の表示装置。
【請求項５】
表示装置の表示部を、当該表示部が設置面に対してなす角度を調節可能に、前記設置面上に設置する脚機構であって、
前記表示部に固定される固定脚と、
前記固定脚が回動可能に結合され、前記設置面と当接する固定台座と、
前記表示部に対して回動可能に結合される可動脚と、
前記可動脚が回動可能に結合され、かつ前記固定台座に対して前記設置面と平行な方向に移動可能に結合されて、前記設置面と当接する可動台座と、を備える、
脚機構。
【発明の詳細な説明】
【技術分野】
【０００１】
この発明は、表示装置の表示部の設置面に対する角度を調節可能に、表示部を設置する技術に関する。
【背景技術】
【０００２】
従来、表示装置の表示画面（表示部）の角度を調節する方法として、表示部の設置台に金属製の回動機構（ヒンジ）を設け、ヒンジの摩擦トルクにより表示部を任意の角度で固定するものがあった。また、表示部の背面に取り付けた支持部の角度を変更することによって、表示部の角度を調節する表示装置が特許文献１に開示されている。
【先行技術文献】
【特許文献】
【０００３】
【特許文献１】特許第４９０３５８７号公報
【発明の概要】
【発明が解決しようとする課題】
【０００４】
しかしながら、設置台にヒンジを設ける方法によれば、ヒンジにコストがかかる上、角度調節により表示部の重心が移動した場合であっても、安全規格により規定される最大設置面傾斜において転倒しないようにするためには、設置台の接地面に対する接地面積を大きくする必要があった。
【０００５】
また、特許文献１に開示の表示装置では、表示部の下端と表示部の背面に取り付けられた支持部が設置面に当接して表示装置の姿勢を決定しているため、表示部を前傾させると支持部が設置面に当接せず、表示装置が転倒するおそれがあった。
【０００６】
本発明は上述の問題に鑑みてなされたものであり、設置面に当接する台座の奥行き方向の長さが短い表示装置、表示装置の脚機構の提供を目的とする。
【課題を解決するための手段】
【０００７】
本発明の表示装置は、表示部と、表示部が設置面に対してなす角度を調節可能に、表示部を設置面上に設置する脚部とを備え、脚部は、表示部に固定される固定脚と、固定脚が回動可能に結合され、設置面と当接する固定台座と、表示部に対して回動可能に結合される可動脚と、可動脚が回動可能に結合され、かつ固定台座に対して設置面と平行な方向に移動可能に結合されて、設置面と当接する可動台座と、を備える。
【０００８】
本発明の脚機構は、表示装置の表示部を、当該表示部が設置面に対してなす角度を調節可能に、設置面上に設置する脚機構であって、表示部に固定される固定脚と、固定脚が回動可能に結合され、設置面と当接する固定台座と、表示部に対して回動可能に結合される可動脚と、可動脚が回動可能に結合され、かつ固定台座に対して設置面と平行な方向に移動可能に結合されて、設置面と当接する可動台座と、を備える。
【発明の効果】
【０００９】
本発明の表示装置は、表示部と、表示部が設置面に対してなす角度を調節可能に、表示部を設置面上に設置する脚部とを備え、脚部は、表示部に固定される固定脚と、固定脚が回動可能に結合され、設置面と当接する固定台座と、表示部に対して回動可能に結合される可動脚と、可動脚が回動可能に結合され、かつ固定台座に対して設置面と平行な方向に移動可能に結合されて、設置面と当接する可動台座と、を備える。
【００１０】
本発明の脚機構は、表示装置の表示部を、当該表示部が設置面に対してなす角度を調節可能に、設置面上に設置する脚機構であって、表示部に固定される固定脚と、固定脚が回動可能に結合され、設置面と当接する固定台座と、表示部に対して回動可能に結合される可動脚と、可動脚が回動可能に結合され、かつ固定台座に対して設置面と平行な方向に移動可能に結合されて、設置面と当接する可動台座と、を備える。
【図面の簡単な説明】
【００１１】
【図１】本発明の表示装置を示す斜視図である。
【図２】本発明の表示装置の姿勢固定機構を示す分解斜視図である。
【図３】本発明の表示装置を示す側面図である。
【図４】本発明の表示装置の可動台座と可動脚を示す斜視図である。
【図５】本発明の表示装置の固定台座と可動台座と可動脚を示す斜視図である。
【図６】本発明の前提技術の表示装置を示す斜視図である。
【図７】本発明の前提技術の表示装置の姿勢固定機構を示す分解斜視図である。
【図８】本発明の前提技術の表示装置を示す側面図である。
【発明を実施するための形態】
【００１２】
＜Ａ．前提技術＞
本発明の前提技術に係る表示装置を図６〜８に示す。図６は、前提技術の表示装置を示す斜視図、図７は、前提技術の表示装置の姿勢固定機構を示す分解斜視図、図８は、前提技術の表示装置を示す側面図である。
【００１３】
前提技術に係る表示装置１１０は、表示画面を有する表示部１０１と、表示部１０１を設置面上に設置する脚機構とを備えている。脚機構は、表示装置１１０の設置面と接触する固定台座１０３と、固定台座１０３に固定された固定脚１０２と、金属製の回動機構（ヒンジ１０９）を備えている。ヒンジ１０９は、回動プレート１０９ａと固定プレート１０９ｂを備えており、回動プレート１０９ａは、図７に示す軸Ａ１０９を中心に固定プレート１０９ｂに対して回動することが可能で、摩擦トルクにより固定プレート１０９ｂに対して任意の角度で静止する。回動プレート１０９ａは表示部１０１に固定され、固定プレート１０９ｂはネジ１０８により固定脚１０２に固定される。
【００１４】
したがって、図８に示すように、表示部１０１は回動プレート１０９ａの回動によって前後にその傾きを調整することができる。図８（ａ）は表示部１を前傾させた状態、図８（ｂ）は表示部１を表示部を直立させた状態、図８（ｃ）は表示部１を後傾させた状態を示している。
【００１５】
しかし、このような表示装置はヒンジ１０９にコストがかかる上、固定台座１０３の奥行き方向（図８に示す左右方向）の長さを大きくする必要があった。なぜなら、図８（ａ）に示す表示部１０１が最も前傾した状態でなおも転倒しないためには、表示部１０１の重心から鉛直下方に引いた線を安全基準に基づく設置面の傾斜の許容角度分だけ傾けたときの設置面６との交点Ｇｆが、固定台座１０３の前端より後ろに位置していなければならないからである。また、図８（ｃ）に示す表示部１０１が最も後傾した状態でなおも転倒しないためには、表示部１０１の重心から鉛直下方に引いた線を安全基準に基づく設置面の傾斜の許容角度分だけ傾けたときの設置面６との交点Ｇｂが、固定台座１０３の後端より前に位置していなければならないからである。
【００１６】
この点、以下に説明する本発明の表示装置は、表示部の台座を固定台座と可動台座の組み合わせとし、必要に応じて可動台座を伸長することで、表示部を傾斜させない場合には台座の奥行きを短くすることを可能にする。また、コストのかかるヒンジを使用しない。
【００１７】
＜Ｂ．実施の形態１＞
＜Ｂ−１．構成＞
本発明の実施の形態１に係る表示装置１０を図１〜３に示す。図１は表示装置１０の斜視図、図２は表示装置１０の脚機構を示す分解斜視図、図３は、表示装置１０を示す側面図である。
【００１８】
表示装置１０は、表示画面を有する表示部１と、表示部１を支持してその姿勢を固定する脚機構とを備えている。当該脚機構は、固定脚２、固定台座３、可動脚４、可動台座５を備える。固定脚２は、その一端が表示部１に固定されている。また、固定脚２の他端は、軸Ａ２を中心に回動可能な状態で固定台座３と結合している。
【００１９】
固定台座３は設置面６と当接し、可動台座５と結合するための軸受け３１（図５参照）を有している。可動台座５は２本のアーム５１を有しており、アーム５１が固定台座３の軸受け３１に沿ってスライドすることにより、可動台座５は設置面６と平行な方向に移動する。なお、アーム５１は軸受け３１の間の任意の箇所、あるいは予め定めた複数の箇所で静止することが可能なものとする。
【００２０】
可動台座５には、可動脚４の一端が軸Ａ４２を中心に回動可能に取り付けられる。また、可動脚４の可動台座５と結合しない他端は、表示部１に対して、軸Ａ４１を中心に回動可能に取り付けられる。
【００２１】
なお、本実施の形態において、軸Ａ２，Ａ４１，Ａ４２は平行であり、当該平行方向に直交する方向に可動台座５がスライドする。
【００２２】
＜Ｂ−２．表示部の設置角度調整＞
図３に沿って、表示部１の設置角度調整動作について説明する。図３（ａ）は表示部１を前傾させた状態、図３（ｂ）は表示部１を直立させた状態、図３（ｃ）は表示部１を後傾させた状態を、それぞれ示している。これらの図において時計回りの回転方向をＢＤ，半時計周りの回転方向をＦＤと示す。
【００２３】
図３（ａ）に示す表示部１の前傾状態から、後傾させる方向（ＢＤ方向）へ表示部１の角度を調節する場合について説明する。まず、固定台座３に対して可動台座５を後ろ方向（図３における右方向）へ移動させる。すると、可動脚４は、可動台座５との結合部の軸Ａ４２を中心にＦＤ方向に回動し、表示部１との結合部の軸Ａ４１を中心にＦＤ方向に回動しながら表示部１を図３における右方向に引っ張る。それに伴い、表示部１と表示部１に固定された固定脚２は、固定台座３との結合部の軸Ａ２を中心にＢＤ方向に回動し、図３（ｂ）に示す直立状態になる。さらに、可動台座５を図３における右方向へ移動させると、表示部１はさらにＢＤ方向に回動し、図３（ｃ）に示す後傾状態になる。この際、表示部１の重心から鉛直下方に引いた線を安全基準に基づく設置面傾斜許容角度分傾けた重力線と設置面６の交点Ｇｂは、常に可動台座５の後端より前にあるため、設置面６が許容角度最大値まで傾いたとしても表示装置１０は転倒しない。
【００２４】
次に、図３（ｃ）に示す表示部１の後傾状態から、前傾させる方向（ＦＤ方向）へ表示部１の角度を調節する場合について説明する。まず、固定台座３に対して可動台座５を前方向（図３における左方向）へ移動させる。すると、可動脚４は、可動台座５との結合部の軸Ａ４２を中心にＢＤ方向に回動し、表示部１との結合部の軸Ａ４１を中心にＢＤ方向に回動しながら表示部１を図３における左方向に押す。それに伴い、表示部１と表示部１に固定された固定脚２は、固定台座３との結合部の軸Ａ２を中心にＦＤ方向に回動し、図３（ｂ）に示す直立状態になる。さらに、可動台座５を図３における左方向へ移動させると、表示部１はさらにＦＤ方向に回動し、図３（ａ）に示す前傾状態になる。この際、表示部１の重心から鉛直下方に引いた線を安全基準に基づく設置面傾斜許容角度分傾けた重力線と設置面６の交点Ｇｆは、常に可動台座５の前端より後ろにあるため、設置面６が許容角度最大値まで傾いたとしても表示装置１０は転倒しない。
【００２５】
このように、表示装置１０では、可動台座５、固定台座３、可動脚４、表示部１、固定脚２によりトラス構造を形成した。そして、可動台座５を固定台座３からスライドすることによってこのトラス構造の底辺を可変長とし、トラス構造の角度、すなわち表示部１の設置角度を調節可能とした。これにより、摩擦力を備えたヒンジを用いない簡単な構造で、表示部１の設置角度の調節が行える。
【００２６】
また、可動台座５が固定台座３から引き出すに従い表示部１が後傾する構成となっているため、図３（ａ），（ｂ）に示すように、表示部１を後傾させない場合は可動台座５が固定台座３に収納され、表示装置１０全体の奥行き方向の長さを短くすることができる。
【００２７】
以上、可動台座５の移動に連動して表示部１の角度が変わる説明を行ったが、表示部１の角度変化に連動して可動台座５が移動しても良い。
【００２８】
＜Ｂ−３．変形例＞
可動台座５を固定台座３から取り外し、可動脚４を表示部１から取り外し、軸Ａ４２を中心に回動して固定台座３と平行にした場合に、可動台座５と可動脚４の一方が他方の内部に収納されても良い。例えば、図４に示すように、可動脚４を可動台座５と結合したまま折りたたんだときに、アーム５１の内側の空間に可動脚４が収納され、可動脚４の厚みｗ４が可動台座５の高さｈ５未満であれば良い。これにより、可動脚４と可動台座５を分離しなくても、梱包容積を小さくすることができる。
【００２９】
また、図５に示すように、可動脚４を表示部１から取り外した状態で、可動台座５を固定台座３から最大に引き出し、可動脚４を可動台座５と結合したまま折りたたんだときに、固定台座３と可動台座５の間の空間に可動脚４が収納されるようにしても良い。これにより、固定台座３と可動台座５を分離しなくても、梱包容積を小さくすることができる。
【００３０】
また、表示部１と固定脚２、固定脚２と固定台座３、可動脚４と可動台座５、および固定台座３と可動台座５は、ネジ止め又は樹脂の弾性を利用したスナップフィットで結合されるようにすれば、ユーザーが分解および組立てを容易に行うことができる。
【００３１】
＜Ｂ−４．効果＞
本発明の表示装置は、表示部１と、表示部１が設置面６に対してなす角度を調節可能に、表示部１を設置面６上に設置する脚部とを備え、脚部は、表示部１に固定される固定脚２と、固定脚２が回動可能に結合され、設置面６と当接する固定台座３と、表示部１に対して回動可能に結合される可動脚４と、可動脚４が回動可能に結合され、かつ固定台座３に対して設置面６と平行な方向に移動可能に結合されて、設置面６と当接する可動台座５と、を備える。したがって、簡単な構造で表示部１の設置角度の調節を行うことができる。また、可動台座５と固定台座３が設置面６に当接する表示装置１０の台座となるが、表示部１の設置角度に応じて可動台座５は設置面６と平行な方向に移動するので、表示装置１０全体の奥行き方向の長さを短くすることができる。
【００３２】
また、本発明の表示装置１０において、可動台座５は、可動脚４に対して、可動脚４との結合部の回動軸に垂直な方向に移動可能に結合される。よって、可動台座５を固定台座３仁近づける向きに移動することで、表示装置１０の奥行き方向の長さが短くなる。
【００３３】
また、本発明の表示装置１０において、固定脚２と固定台座３、可動脚４と可動台座５、および固定台座３と可動台座５を、ネジ止め又はスナップフィットで結合されることにより、ユーザーが分解や組立を容易に行うことができる。そのため、表示装置１０を梱包する際に、各部材を分解して製品梱包することが可能で、梱包容積を小さくすることができる。
【００３４】
また、本発明の表示装置において、固定台座３から取り外した可動台座５と、表示部１から取り外した可動脚４を、当該可動台座５と当該可動脚４の回動可能な結合を回動させて重ねると、一方が他方の内部に収納されるようにすれば、可動台座５と可動脚４を分離しなくても、梱包容積を小さくすることができる。
【００３５】
本発明の表示装置の脚機構は、表示装置１０の表示部１を、表示部１が設置面６に対してなす角度を調節可能に、設置面６上に設置する脚機構であって、表示部１に固定される固定脚２と、固定脚２が回動可能に結合され、設置面６と当接する固定台座３と、表示部１に対して回動可能に結合される可動脚４と、可動脚４が回動可能に結合され、かつ固定台座３に対して設置面６と平行な方向に移動可能に結合されて、設置面６と当接する可動台座５と、を備える。よって、簡単な構造で表示部１の設置角度の調節を行うことができる。また、可動台座５と固定台座３が設置面６に当接する表示装置１０の台座となるが、表示部１の設置角度に応じて可動台座５は設置面６と平行な方向に移動するので、表示装置１０全体の奥行き方向の長さを短くすることができる。
【００３６】
なお、本発明は、その発明の範囲内において、実施の形態を適宜、変形、省略することが可能である。
【符号の説明】
【００３７】
１，１０１  表示部、２，１０２  固定脚、３，１０３  固定台座、４  可動脚、５  可動台座、６  設置面、１０，１１０  表示装置、３１  軸受け部、５１  アーム、１０８  ネジ、１０９  ヒンジ、１０９ａ  回動プレート、１０９ｂ  固定プレート、Ａ２，Ａ４１，Ａ４２，Ａ１０９  回転軸。
【図１】
2014235215.tif 000003
【図２】
2014235215.tif 000004
【図３】
2014235215.tif 000005
【図４】
2014235215.tif 000006
【図５】
2014235215.tif 000007
【図６】
2014235215.tif 000008
【図７】
2014235215.tif 000009
【図８】
2014235215.tif 000010